(57)【要約】【課題】様々なサイズの脚や靴に対応することができる靴脱ぎ具およびその載置具を提供する。【解決手段】足から靴１００を脱ぐために用いられ、上下方向に延びる持ち手部１０と持ち手部１０の下部に設けられる靴脱ぎ部２０，２０´とを有する靴脱ぎ具１，２，３ａ，３ｂ，４ａ，４ｂであって、靴脱ぎ部２０，２０´は、基端から先端にかけて内面間の間隔が漸次拡大するように二股形状に形成されるとともに、靴脱ぎ部２０，２０´の少なくとも内面側２１ｂ、２１ｂ´，２２ｂ、２２ｂ´は平坦面に形成され、かつ、内面側２１ｂ、２１ｂ´，２２ｂ，２２ｂ´の上端部の辺部２３，２３´と下端部の辺部２４，２４´が直線状に延びることを特徴とする。【選択図】図１
2018157965.tif 000002
【特許請求の範囲】
【請求項１】
靴を脱ぐために用いられ、持ち手部と前記持ち手部に設けられる靴脱ぎ部とを有する靴脱ぎ具であって、
前記靴脱ぎ部は、基端から先端にかけて内面間の間隔が漸次拡大する二股形状に形成されるとともに、前記靴脱ぎ部の二股形状の少なくとも内面側は平坦面に形成されることを特徴とする靴脱ぎ具。
【請求項２】
前記靴脱ぎ部は、少なくとも前記内面側が垂直に立ち上がり、上端から下端にかけて前記内面間の間隔が一定となるように形成されることを特徴とする請求項１に記載の靴脱ぎ具。
【請求項３】
前記靴脱ぎ部は、少なくとも前記内面側が傾斜状に形成され、上端から下端にかけて前記内面間の間隔が漸次拡大するように形成されることを特徴とする請求項１に記載の靴脱ぎ具。
【請求項４】
前記靴脱ぎ部は、平板を用いて前記二股形状に形成されることを特徴とする請求項１乃至請求項３のうちいずれか一項に記載の靴脱ぎ具。
【請求項５】
前記靴脱ぎ部は、前記内面側に滑り防止部が形成されることを特徴とする請求項１乃至請求項４のうちいずれか一項に記載の靴脱ぎ具。
【請求項６】
前記滑り防止部は、前記内面側に弾性材料を設けることにより、若しくは前記内面側に凹凸を設けることにより形成されることを特徴とする請求項５に記載の靴脱ぎ具。
【請求項７】
前記靴脱ぎ部の内面側の上端部に内側に突出する突出部を設けることを特徴とする請求項１乃至請求項６のうちいずれか一項に記載の靴脱ぎ具。
【請求項８】
前記靴を履くために用いられる靴べら部を前記持ち手部に設けることを特徴とする請求項１乃至請求項７のうちいずれか一項に記載の靴脱ぎ具。
【請求項９】
消臭剤および／または除菌剤を充填する充填部と前記充填部に充填された消臭剤および／または除菌剤を噴射する噴射部を有する噴射機構を備えることを特徴とする請求項１乃至請求項８のうちいずれか一項に記載の靴脱ぎ具。
【請求項１０】
前記噴射機構は、前記充填部と前記噴射部とを相互に連通させる流路を有するとともに、
前記流路を開口を介して開放する開放部と、前記流路を閉塞する閉塞部を設けた開閉機構と、を有し、
前記開閉機構を開閉方向に動作させ、前記開閉機構に設けられた開口の位置と前記流路の位置とを一致または重複させて前記開口と前記流路を連通状態とすることにより開放状態とし、前記開口の位置と前記流路の位置とをずらして前記開口と前記流路を非連通状態とすることにより閉塞状態とすることを特徴する請求項９に記載の靴脱ぎ具。
【請求項１１】
前記二股形状は、Ｖ字状またはハの字状とすることを特徴とする請求項１乃至請求項１０のうちいずれか一項に記載の靴脱ぎ具。
【請求項１２】
請求項１乃至請求項１１のうちいずれか一項に記載の靴脱ぎ具を載置する載置部を有する立体的な形状に形成され、前記載置部は、前記靴脱ぎ部の形状に対応する溝形状に形成されることを特徴とする載置具。
【請求項１３】
前記立体的な形状は、靴の形状とすることを特徴とする請求項１２に記載の載置具。
【発明の詳細な説明】
【技術分野】
【０００１】
本発明は、靴脱ぎ具および載置具に関し、特に基端から先端にかけて間隔が漸次拡大するように二股形状に形成される靴脱ぎ具およびその載置具に関する。
【背景技術】
【０００２】
使用者が足から靴を脱ぐために用いられる各種の靴脱ぎ具が知られている。例えば、特許文献１には、Ｕ字状に湾曲した形状の靴脱ぎ具が開示されており、靴の後部に靴脱ぎ具の湾曲部分（本体）を嵌め込みながら脱ぐことにより靴を脱ぎ易くすることとしている。
【先行技術文献】
【特許文献】
【０００３】
【特許文献１】実用新案登録第３２０７７７１号公報
【発明の概要】
【発明が解決しようとする課題】
【０００４】
しかしながら、上述の如く靴脱ぎ具を湾曲した形状とすると湾曲部分とサイズが適合する靴については脱ぎ易くなるもののサイズが適合しない靴については靴脱ぎ具の効果を十分に発揮できないことがある。
【０００５】
すなわち、サイズの小さい靴については、靴脱ぎ具の内面により靴の後端部のみを抑えながら靴を脱ぐこととなり、靴を効率よく脱ぐことができず、サイズの大きい靴については、靴に湾曲部分を嵌め込むことすらできず靴を脱ぐことができないことがある。
【０００６】
本発明は、このような課題に鑑みてなされたものであり、様々なサイズの脚や靴に容易に対応することができる靴脱ぎ具およびその載置具を提供することを目的する。
【課題を解決するための手段】
【０００７】
上記の課題を解決するため、請求項１に係る靴脱ぎ具の発明は、靴を脱ぐために用いられ、持ち手部と、持ち手部に設けられる靴脱ぎ部とを有する靴脱ぎ具であって、靴脱ぎ部は、基端から先端にかけて内面間の間隔が漸次拡大する二股形状とするとともに、靴脱ぎ部の二股形状の少なくとも内面側は平坦面に形成されることを特徴とする。
【０００８】
本発明によれば、靴脱ぎ部は、基端から先端にかけて内面間の間隔が漸次拡大する二股形状に形成されるとともに、靴脱ぎ部の二股形状の少なくとも内面側は平坦面に形成されることとしたので、靴脱ぎ部の内面間の間隔が直線状に拡大するように形成され、靴脱ぎ具を様々なサイズの脚や靴に容易に対応させることができる。
【０００９】
すなわち、本発明の靴脱ぎ具においては、二股形状の靴脱ぎ部の内側空間に脚を挿入しつつ靴脱ぎ部の二股形状のそれぞれの内面側の下端部および下面側で靴の後部の上端部を抑え込んで脱いだり、靴脱ぎ部の二股形状のそれぞれの内面側で靴の後部の側面を挟み込むことにより靴を脱ぐこととしているが、小さいサイズの脚や靴については、靴の後部や脚を靴脱ぎ部の内側空間に深く挿入し、大きいサイズの脚や靴については、前記内側空間に浅く挿入して靴脱ぎ具を使用する等、様々なサイズの脚や靴を靴脱ぎ部の内側空間に挿入して使用することができる。
【００１０】
靴脱ぎ部は、少なくとも内面側が垂直に立ち上がり、上端から下端にかけて内面間の間隔が一定となるように形成されることとすることができる（請求項２）。
【００１１】
また、靴脱ぎ部は、少なくとも内面側が傾斜状に形成され、上端から下端にかけて内面間の間隔が漸次拡大するように形成されることとすることができる（請求項３）。すなわち、このように靴脱ぎ部を構成することで、傾斜する内面側で靴の後部を確実に抑え込みながら脱ぐことができ、靴を効率よく脱ぐことができる。
【００１２】
靴脱ぎ部は、平板を用いて前記二股形状に形成されることとすれば、容易に靴脱ぎ部の内面側を平坦面に形成することができる（請求項４）。
【００１３】
靴脱ぎ部は、内面側に滑り防止部が形成されることとすれば、靴脱ぎ部の内面側で靴の後部を挟み込むときに内面側が滑ることを確実に防止することができる（請求項５）。
【００１４】
滑り防止部は、例えば、内面側に弾性材料を設けることにより、若しくは内面側に凹凸を設けることにより形成されることとすることができる（請求項６）。
【００１５】
靴脱ぎ部の内面側の上端部に内側に突出する突出部を設けることとすれば、突出部により靴の後部の上端部を抑え込むことができ、更に一層靴を効率よく脱ぐことができる（請求項７）。
【００１６】
靴を履くために用いられる靴べら部を前記持ち手部に設けることとすれば、本発明の靴脱ぎ具を靴を脱ぐときのみならず、靴を履くときにも使用することができる（請求項８）。
【００１７】
消臭剤および／または除菌剤を充填する充填部と充填部に充填された消臭剤および／または除菌剤を噴射する噴射部を有する噴射機構を備えることとすれば、靴を脱ぐときに、靴や足の消臭も行うことができ、靴脱ぎ具の付加価値を向上させることができる（請求項９）。
【００１８】
噴射機構は、充填部と噴射部とを相互に連通させる流路を有するとともに、流路を開口を介して開放する開放部と、流路を閉塞する閉塞部を設けた開閉機構と、を有し、開閉機構を開閉方向に動作させ、開閉機構に設けられた開口の位置と流路の位置とを一致または重複させて開口と流路を連通状態とすることにより開放状態とし、開口の位置と流路の位置とをずらして開口と流路を非連通状態とすることにより閉塞状態とすることとすれば、開閉機構を開閉させることにより消臭剤および／または除菌剤を噴射部から容易に噴射させることができる（請求項１０）。
【００１９】
二股形状は、Ｖ字状またはハの字状とすることができる（請求項１１）。
【００２０】
請求項１乃至請求項１１のうちいずれか一項に記載の靴脱ぎ具を載置する載置部を有する立体的な形状に形成され、載置部は、靴脱ぎ部の形状に対応する溝形状に形成されることとすれば、靴脱ぎ具を載置部に確実に載置することができる（請求項１２）。
【００２１】
立体的な形状は、靴の形状とすることとすれば、第三者が、靴脱ぎ具が靴を脱ぐために用いられる治具であることを確実に認識することができる（請求項１３）。
【発明の効果】
【００２２】
本発明によれば、様々なサイズの脚や靴に容易に対応することができる。
【図面の簡単な説明】
【００２３】
【図１】本発明の第１実施形態に係る靴脱ぎ具の全体構成を示す図で、（ａ）は側面図、（ｂ）は正面図、（ｃ）は平面図である。
【図２】同靴脱ぎ具の使用方法を説明するための図で、（ａ）は使用前の状態を示す側面図、（ｂ）は使用前の状態を示す平面図である。
【図３】同靴脱ぎ具の使用方法を説明するための図で、（ａ）は使用後の状態を示す側面図、（ｂ）は使用後の状態を示す平面図である。
【図４】同靴脱ぎ具の別の使用方法を説明するための図で、（ａ）は使用前の状態を示す側面図、（ｂ）は使用前の状態を示す平面図である。
【図５】同靴脱ぎ具の別の使用方法を説明するための図で、（ａ）は使用後の状態を示す側面図、（ｂ）は使用後の状態を示す平面図である。
【図６】同靴脱ぎ具を載置する載置具の全体構成を示す図で、（ａ）は側面図、（ｂ）は平面図である。
【図７】同靴脱ぎ具を載置する別の載置具の全体構成を示す平面図である。
【図８】本発明の第２実施形態に係る靴脱ぎ具の全体構成を示す図で、（ａ）は側面図、（ｂ）は正面図、（ｃ）は平面図、（ｄ）は（ｃ）のＡ−Ａ断面図である。
【図９】同靴脱ぎ具の使用方法を説明するための図で、（ａ）は使用後の状態を示す側面図、（ｂ）は使用後の状態を示す平面図、（ｃ）は使用後の状態を示す図９（ｂ）のＡ−Ａ断面図である。
【図１０】本発明の第３実施形態に係る靴脱ぎ具の全体構成を示す図で、（ａ）は側面図、（ｂ）は正面図、（ｃ）は平面図である。
【図１１】本発明の第３実施形態に係る別の靴脱ぎ具の全体構成を示す図で、（ａ）は側面図、（ｂ）は正面図、（ｃ）は平面図である。
【図１２】同靴脱ぎ具の充填部および開閉機構の構成を示す拡大図で、（ａ）は開閉機構の閉塞状態を示す側面拡大図、（ｂ）は開閉機構の開放状態を示す側面拡大図、（ｃ）は開閉機構の構成を示す平面図である。
【図１３】本発明の第４実施形態に係る靴脱ぎ具のへら部の構成を示す図で、（ａ）は側面図、（ｂ）は背面図、（ｃ）は（ｂ）のＡ−Ａ断面図である。
【図１４】本発明の第４実施形態に係る別の靴脱ぎ具の構成を示す側面図である。
【図１５】本発明の変形例に係る靴脱ぎ具の構成を示す図で、（ａ）は側面図、（ｂ）は正面図、（ｃ）は平面図である。
【図１６】本発明の別の変形例に係る靴脱ぎ具の構成を示す図で、（ａ）は側面図、（ｂ）は正面図、（ｃ）は平面図である。
【図１７】本発明の更に別の変形例に係る靴脱ぎ具の構成を示す図で、（ａ）は側面図、（ｂ）は正面図、（ｃ）は平面図である。
【図１８】本発明のまた更に別の変形例に係る靴脱ぎ具の構成を示す図で、（ａ）は側面図、（ｂ）は正面図、（ｃ）は平面図である。
【発明を実施するための形態】
【００２４】
以下、本発明の実施形態について図面を参照して詳細に説明する。なお、以下の説明においては、主に持ち手部の靴脱ぎ部が設けられる側を前方、その反対側を後方、持ち手部の上方側を上方、下方側を下方とするものとする。
【００２５】
[第１実施形態]
図１は、本発明の第１実施形態に係る靴脱ぎ具１の全体構成を示す図である。同図を参照して靴脱ぎ具１の全体構成の概要を説明すると、靴脱ぎ具１は、足から靴を脱ぐために用いられ、持ち手部１０、靴脱ぎ部２０、および滑り防止部３０を有している。
【００２６】
持ち手部１０は、上下方向に丸棒状にかつ直線状に延びており、使用者は、持ち手部１０を手に持って靴脱ぎ具１を使用することができる。
靴脱ぎ部２０は、持ち手部１０の下部に設けられており、持ち手部１０に対し交差する方向、より詳しくは直交する方向に設けられている。靴脱ぎ部２０を持ち手部１０に対し直交する方向に設ける（正確には、靴脱ぎ部２０の下面を持ち手部１０に対し直交する方向に設ける）ことにより靴脱ぎ具１を自立させることが可能となっている。持ち手部２０の下面は平坦面となっている。
【００２７】
ここで、靴脱ぎ部２０は、二股形状より詳しくは平面で見たときにＶ字状に形成されている。すなわち、靴脱ぎ部２０は、持ち手部１０の下部において、２枚の矩形状の平板２１，２２の側端（基端）を所定の角度をもって相互に連結させることにより二股形状つまりＶ字状に形成されており、基端（一の側端）から先端（他の側端）にかけて水平方向の内面間の間隔ｄが漸次拡大するように形成されている。また、靴脱ぎ部２０は、外面側２１ａ，２２ａおよび内面側２１ｂ，２２ｂがともに垂直に立ち上がり、一の垂直面で見たときに、上端から下端にかけて２枚の平板２１，２２の水平方向の内面間の間隔ｄが一定となるように形成されている。
【００２８】
つまり、靴脱ぎ部２０は、外面側２１ａ，２２ａおよび内面側２１ｂ，２２ｂがともに平坦面に形成されており、内面側２１ｂ，２２ｂの上端部の辺部２３と下端部の辺部２４が直線状に延びている。これにより、靴脱ぎ部２０の内面間の間隔ｄが直線状に拡大するように形成されている。
なお、持ち手部１０および靴脱ぎ部２０は、金属材料または樹脂材料で形成されている。より詳しくは金属材料は、例えばアルミニウム、アルミニウム合金、銅、銅合金、チタン、またはチタン合金とし、樹脂材料は、例えばプラスチック材料とすることができる。また金属材料は、金、銀、またはこれらを鍍金した材料として本実施形態の靴脱ぎ具１に宝飾品的な価値を奏することとしてもよい。
【００２９】
滑り防止部３０は、靴脱ぎ部２０の内面側２１ｂ，２２ｂに一定の厚みをもって形成されている。滑り防止部３０は、靴脱ぎ部２０の内面側２１ｂ，２２ｂに弾性材料を設けることにより形成されており、弾性材料は、ゴム材料としている。つまり、滑り防止部３０の内面側は靴脱ぎ部２０の内面側２１ｂ、２２ｂと同様にＶ字状に形成されており、基端から先端にかけて水平方向の内面間の間隔が漸次拡大するように形成されている。また、滑り防止部３０の内面側は靴脱ぎ部２０の内面側２１ｂ，２２ｂと同様に垂直に立ち上がり、一の垂直面で見たときに、上端から下端にかけて水平方向の内面間の間隔が一定となるように形成されている。
【００３０】
次に図２乃至図５に基づいて本第１実施形態の靴脱ぎ具１の使用方法を説明する。
まず図２に示すように、靴脱ぎ具１を使用者の脚２００の後方に位置させ、次いで図３に示すように、靴脱ぎ部２０の内側空間に使用者の脚２００を挿入しつつ靴脱ぎ部２０の二股形状のそれぞれの内面側２１ｂ、２２ｂの下端部の辺部２４および下面側で靴１００の後部の上端部を抑え込む。このとき、小さいサイズの脚２００（細い脚２００）については、脚２００を靴脱ぎ部２０の内側空間に深く挿入し、大きいサイズの脚２００（太い脚２００）については、内側空間に浅く挿入して靴脱ぎ具１を使用することができる。このように靴脱ぎ具１を使用することにより、様々なサイズの脚２００に容易に対応することができる。
【００３１】
また、靴脱ぎ具１の別の使用方法を図４および図５に示すように、靴脱ぎ具１を使用者の靴１００の後方に位置させ（図４）、次いで、靴脱ぎ部２０の内側空間に使用者の靴１００の後部を挿入しつつ靴脱ぎ部２０の二股形状のそれぞれの内面側２１ｂ、２２ｂで靴１００の後部の側面を挟み込む（図５）。このとき、小さいサイズの靴１００については、靴１００を靴脱ぎ部２０の内側空間に深く挿入し、大きいサイズの靴１００については、内側空間に浅く挿入して靴脱ぎ具１を使用することができる。このように靴脱ぎ具１を使用することにより、様々なサイズの靴１００に容易に対応することができる。
【００３２】
ここで、靴脱ぎ部２０は、内面側に滑り防止部３０が形成されているので、靴脱ぎ部２０の内面側で靴１００の後部の側面を挟み込むときに該内面側が滑ることを確実に防止することができる。
【００３３】
以上のように構成された靴脱ぎ具１は、図６に示すように載置具４０に載置することができる。
同図に示すように、載置具４０は、全体が立体的な形状より詳しくは円柱状の形状に形成されている。載置具４０は、靴脱ぎ具１を載置する載置部４１を有しており、載置部４１は、靴脱ぎ部２０の形状に対応する溝形状に形成されている。すなわち、載置部４１には、溝４２が形成されており、溝４２は、靴脱ぎ部２０のＶ字状の形状に対応するように載置具４０の上面から下面に至るまで貫通させて形成されている。これにより、靴脱ぎ部２０を溝４２に挿入することができ、靴脱ぎ具１が倒れることのないように確実に載置することができる。
【００３４】
載置具４０は、図７に示すように、別の形態とすることもできる。すなわち、同図に示す載置具５０は、立体的な形状を靴の形状とし、載置部５１を靴の形状の後部側に形成することとしている。載置部５１にも同様に、溝５２が形成されており、溝５２は、靴脱ぎ部２０のＶ字状の形状に対応するように載置具５０の上面から下面に至るまで貫通させて形成されている。
【００３５】
このように載置具５０の立体的な形状を靴の形状とすることとすれば、第三者が、靴脱ぎ具１が靴を脱ぐために用いられる治具であることを確実に認識することができる。
なお、載置具４０，５０は、金属材料または樹脂材料で形成されている。より詳しくは金属材料は、例えばアルミニウム、アルミニウム合金、銅、銅合金、チタン、またはチタン合金とし、樹脂材料は、例えばプラスチック材料とすることができる。また金属材料は、金、銀、またはこれらを鍍金した材料として本実施形態の靴脱ぎ具１に宝飾品的な価値を奏することとしてもよい。
【００３６】
[第２実施形態]
次に本発明の第２実施形態について図８および図９に基づいて詳細に説明する。図８は、本発明の第２実施形態に係る靴脱ぎ具２の全体構成を示す図である。なお、これらの図において、上述した第１実施形態と同一の符号が付された構成または同様の構成であって対応する構成については、その構成と同様であるとしてその説明を省略することがあるものとする。
【００３７】
本発明の第２実施形態の靴脱ぎ具２は、第１実施形態における靴脱ぎ具１の靴脱ぎ部２０を変更した構成を示している。
すなわち、本第２実施形態の靴脱ぎ具２は、持ち手部１０、靴脱ぎ部２０´、および滑り防止部３０を有している。
【００３８】
靴脱ぎ部２０´も、第１実施形態の靴脱ぎ部２０と同様に二股形状より詳しくはＶ字状に形成されており、金属材料または樹脂材料で形成されている。より詳しくは金属材料は、例えばアルミニウム、アルミニウム合金、銅、銅合金、チタン、またはチタン合金とし、樹脂材料は、例えばプラスチック材料とすることができる。また金属材料は、金、銀、またはこれらを鍍金した材料として本実施形態の靴脱ぎ具２に宝飾品的な価値を奏することとしてもよい。
【００３９】
靴脱ぎ部２０´は、持ち手部１０の下部より詳しくは下端に設けられており、持ち手部１０に対し交差する方向、より詳しくは直交する方向に設けられている。靴脱ぎ部２０´を持ち手部１０に対し直交する方向に設ける（正確には、靴脱ぎ部２０´の下面を持ち手部１０に対し直交する方向に設ける）ことで靴脱ぎ具２を自立させることが可能となっている。持ち手部１０の下面は平坦面となっている。
【００４０】
靴脱ぎ部２０´は、２枚の台形形状の平板２１´，２２´の傾斜した側端部（基端部）を相互に連結することにより二股形状つまり平面で見たときにＶ字状に形成されている。靴脱ぎ部２０´は、連結したＶ字状の基端部の上部側（上端面側）を持ち手部１０の下端部に連結し、その傾斜した側端部分は、持ち手１０の後方側において斜め下方に延びるように形成されている。靴脱ぎ部２０´は、基端（傾斜する一の側端）から先端（他の側端）にかけて水平方向の内面間の間隔ｄ´が漸次拡大するように形成されている（つまり、靴脱ぎ部２０´は、第１実施形態の靴脱ぎ部２０と同様に、外面側２１ａ´，２２ａ´および内面側２１ｂ´，２２ｂ´がともに平坦面に形成されており、内面側２１ｂ´，２２ｂ´の上端部の辺部２３´と下端部の辺部２４´が直線状に延びている）。
【００４１】
そして、第２実施形態の靴脱ぎ部２０´は、外面側２１ａ´，２２ａ´および内面側２１ｂ´，２２ｂ´が傾斜状に形成され、一の垂直面で見たときに、上端から下端にかけて２枚の平板２１´，２２´の水平方向の内面間の間隔ｄ´が漸次拡大するように設けられることにより、傾斜状に形成されている。つまり、靴脱ぎ部２０´の先端は、正面から見たときにハの字状に形成されている。
【００４２】
このように靴脱ぎ部２０´を間隔が下方に行くにしたがって拡大するように傾斜状に形成することで、図９に示すように、傾斜する内面側２１ｂ´，２２ｂ´で靴１００の後部を確実に抑え込みながら脱ぐことができ、靴１００を効率よく脱ぐことができる。また、靴脱ぎ部２０´を傾斜状に形成することで靴脱ぎ具２が倒れにくくなり、靴脱ぎ具２の安定した自立状態を確保することができる。更に、靴脱ぎ部２０´は、傾斜した側端部分が持ち手部１０の後方側において斜め下方に延びるように形成されているので、持ち手部１０に直交する下端部の辺部２４´が相対的に長く設定され、更に一層安定した自立状態を確保することができる。
【００４３】
なお、第２実施形態の滑り防止部３０も、靴脱ぎ部２０´の内面側２１ｂ´，２２ｂ´に一定の厚みをもって形成されている（滑り防止部３０は、靴脱ぎ部２０の内面側２１ｂ，２２ｂに弾性材料を設けることにより形成されており、弾性材料は、ゴム材料としている）。つまり、第２実施形態の滑り防止部３０の内面側は靴脱ぎ部２０´の内面側２１ｂ´、２２ｂ´と同様にＶ字状に形成されており、基端から先端にかけて水平方向の内面間の間隔が漸次拡大するように形成されている。また、滑り防止部３０の内面側は傾斜状に形成され、一の垂直面で見たときに、上端から下端にかけて水平方向の内面間の間隔が漸次拡大するように形成されており、正面から見たときにハの字状に形成されている。
【００４４】
なお、図示しないが本第２実施形態にあっては、載置具４０，５０の溝４２，５２は、傾斜状に形成される靴脱ぎ部２０´が挿入可能なように、該靴脱ぎ部２０´の投影面に対応する大きさに設定されている。
【００４５】
[第３実施形態]
次に本発明の第３実施形態について図１０および図１１に基づいて詳細に説明する。図１０および図１１は、本発明の靴脱ぎ具３ａ，３ｂの全体構成を示す図である。なお、これらの図において、上述した第１実施形態および第２実施形態と同一の符号が付された構成または同様の構成であって対応する構成については、その構成と同様であるとしてその説明を省略することがあるものとする。
【００４６】
本発明の第３実施形態の靴脱ぎ具３ａ，３ｂは、第１実施形態および第２実施形態における靴脱ぎ具１，２に噴射機構を備えた構成を示している。
すなわち、本第３実施形態の靴脱ぎ具３ａ，３ｂは、持ち手部１０、靴脱ぎ部２０または２０´、および滑り防止部３０を有し、更に噴射機構７０を有している。
【００４７】
つまり、噴射機構７０は、消臭剤および／または除菌剤を加圧状態で充填する充填部７１と充填部７１に充填された消臭剤および／または除菌剤を噴射する噴射部７２を有している。
充填部７１は、靴脱ぎ具３ａ，３ｂに形成された内部空間より詳しくは持ち手部１０の上部の内部空間に設けられており、噴射部７２は、持ち手部１０の下部における靴脱ぎ部２０，２０´の設置領域または靴脱ぎ部２０，２０´の内面側に設けられており、噴射部７２は、更に消臭剤および／または除菌剤が噴射される噴射口７３を有している。噴射口７３は、靴脱ぎ部２０，２０´の内側（正確には滑り防止部３０の内側）に突出することなくその内面側に面するように設けられている。
【００４８】
ここで、噴射機構７０は、充填部７１と噴射部７２とを相互に連通させる流路７４を有するとともに、流路７４を開閉する弁体構造の開閉機構８０と、開閉機構８０に連結する弾性体９０つまりコイルバネ部材を有している（流路７４は、靴脱ぎ具３ａ，３ｂの内部空間より詳しくは持ち手部１０の内部空間に形成されている）。コイルバネ部材は押しバネとしている。
【００４９】
すなわち、開閉機構８０は、押圧部８１と開閉部８２を有しており、押圧部８１の下面側８１ａに弾性体９０の一端が連結され、弾性体９０の他端は、持ち手部１０の側周面に連結している。そして弾性体９０の内部空間９０ａに開閉部８２が内包されるように設けられている。
【００５０】
持ち手部１０には、溝１０ａが設けられており、溝１０ａは、側周面から持ち手部１０の内部に至り流路７４を貫通して反対側の内部に達するように設けられている。つまり、開閉機構８０は、溝１０ａおよび流路７４を介して開閉部８２の水平方向の開閉動作が可能となっている。
【００５１】
開閉部８２は、矩形状の平板からなり、開閉部８２の中間部は、開口８３が形成されて流路７４を開口８３を介して開放する開放部８４となっている。また、開閉部８２の先端側は、流路７４を閉塞する板状の閉塞部８５となっている。
【００５２】
このように噴射機構７０を構成することにより、図１２（ａ）に示すように、開閉機構８０は、押圧部８１の非押圧状態（通常時）において、開閉部８２の先端の閉塞部８５が流路７４に達して該流路７４は閉塞した状態となる。そして、この閉塞状態から、図１２（ｂ）に示すように、押圧部８１を押圧することにより弾性体９０が縮まって、開閉機構８０が開放する方向に動作し、開放部８４の開口８３の位置と流路７４の位置とが一致または重複し開放状態となり、消臭剤および／または除菌剤が噴射部７２から噴射可能となる。なお、この開放状態から、押圧部８１に付与された押圧力を解除することにより、弾性体９０が伸びて開閉機構８０が閉塞する方向に動作し、開口８３の位置と流路７４の位置とがずれて開口８３と流路７４を非連通状態とし閉塞状態とすることができる（図１２（ａ））。
【００５３】
以上のように本第３実施形態を構成することにより、靴を脱ぐときに、靴や足の消臭や除菌も容易に行うことができ、靴脱ぎ具３ａ，３ｂの付加価値を向上させることができる。なお、本第３実施形態においては、充填部７１および流路７４を靴脱ぎ具３ａ，３ｂの内部空間に形成し、噴射部７２（噴射口７３）を靴脱ぎ部２０，２０´の内側（正確には滑り防止部３０の内側）に突出することなくその内面側に面するように設けることとしたので、靴脱ぎ具３ａ，３ｂの美観を損ねることを防止することができる。
【００５４】
[第４実施形態]
次に本発明の第４実施形態について図１３に基づいて詳細に説明する。図１３は、本発明の第４実施形態に係る靴脱ぎ具４ａ，４ｂの構成を示す側面図、背面図、断面図である。なお、これらの図において、上述した第１実施形態乃至第３実施形態と同一の符号が付された構成または同様の構成であって対応する構成については、その構成と同様であるとしてその説明を省略することがあるものとする。
【００５５】
本第４実施形態の靴脱ぎ具４ａ，４ｂは、持ち手部１０、靴脱ぎ部２０，２０´、および滑り防止部３０を有しており、持ち手部１０はその上部に靴べら部９５を設けた構成となっている（第３実施形態の靴脱ぎ具３ａに靴べら部９５を付加した構成を靴脱ぎ具４ａとし、第３実施形態の靴脱ぎ具３ｂに靴べら部９５を付加した構成を靴脱ぎ具４ｂとする）。
【００５６】
すなわち、靴べら部９５は、靴に足を挿入するために用いられ、金属材料または樹脂材料で形成されている。より詳しくは金属材料は、例えばアルミニウム、アルミニウム合金、銅、銅合金、チタン、またはチタン合金とし、樹脂材料は、例えばプラスチック材料とすることができる。また金属材料は、金、銀、またはこれらを鍍金した材料として本実施形態の靴脱ぎ具４ａ，４ｂに宝飾品的な価値を奏することとしてもよい。
そして、靴べら部９５は、持ち手部１０よりも幅広の湾曲した板状に形成されており、靴べら部９５は、水平方向に沿って円弧状に湾曲する板状に形成されている。更に詳しくは、靴べら部９５は、持ち手部１０の靴脱ぎ部２０，２０´が設けられる側と反対側に窄むように湾曲して形成されている。
【００５７】
このように、靴脱ぎ具４ａ，４ｂに靴べら部９５を設けることにより、靴脱ぎ具４ａ，４ｂを靴１００を脱ぐときのみならず、靴１００を履くときにも使用することができ利便性を向上させることができる。
【００５８】
ここで、図１４に示すように、靴べら部を靴脱ぎ具の下部に設けることとしてもよい。すなわち、図１４に示す靴脱ぎ具４ｃ，４ｄは、持ち手部１０を介して靴脱ぎ具２０，２０´の設定位置と１８０°反対側に、持ち手部１０の中間部から下方に舌状に延びるように靴べら部９６を設けることとしており、靴べら部９６の下端９６ａは、靴脱ぎ部２０，２０´の下端と同等の位置に設定されている。
【００５９】
これにより、靴を履くときは単に靴脱ぎ具４ｃ，４ｄを１８０°反転させつつ靴べら部９６を靴の内部空間の後端に差し込んで使用する等、その利便性を更に向上させることができる。また、図１４の靴脱ぎ具４ｃ，４ｂは、靴べら部９６の下端と靴脱ぎ具２０，２０´の下端を同等の位置に設定することとしたので、靴脱ぎ具４ｃ，４ｄの更に安定した自立状態を確保することができる。
【００６０】
なお、本発明は、上述した第１実施形態乃至第４実施形態に限定されることなく特許請求の範囲を逸脱しない範囲で各種の変形実施および応用実施が可能であることは勿論である。
【００６１】
すなわち、例えば、上述した実施形態にあっては、靴脱ぎ部２０，２０´は、Ｖ字状に形成することとしているが、図１５および図１６に示すように、例えば、持ち手部１０を細板状に形成して、該細板状の持ち手部１０の下部の側端若しくは下端に２枚の平板２１，２２，２１´，２２´の側端（基端）を所定の間隔を置いて連結させることにより、該側端を相互に離間させて設け、平面で見たときにハの字状に形成することとしても本発明の効果を奏することができる。つまり、靴脱ぎ部２０，２０´は、平板２１，２２，２１´，２２´を用いて二股形状に形成することとすれば、靴脱ぎ部２０，２０´の内面側２１ｂ，２１ｂ´，２２ｂ，２２ｂ´を平坦面に形成し、内面側２１ｂ，２１ｂ´，２２ｂ，２２ｂ´の上端部の辺部２３，２３´と下端部の辺部２４，２４´が直線状に延びるように形成することができるのは勿論である。
【００６２】
また、上述した実施形態にあっては、滑り防止部３０は、内面側２１ｂ，２１ｂ´，２２ｂ，２２ｂ´に弾性部材を設けることにより形成することとしているが、内面側２１ｂ，２１ｂ´，２２ｂ，２２ｂ´に凹凸を設けることにより形成されることとしても所要の効果を奏する。
【００６３】
更に、上述した実施形態にあっては、靴脱ぎ部２０，２０´の外面側２１ａ，２１ａ´，２２ａ，２２ａ´および内面側２１ｂ，２１ｂ´，２２ｂ，２２ｂ´のいずれも平坦面に形成することとしているが内面側２１ｂ，２１ｂ´，２２ｂ，２２ｂ´のみを平坦面とすることとしても本発明の効果を奏することができる。すなわち、靴脱ぎ部２０，２０´の少なくとも内面側２１ｂ，２１ｂ´，２２ｂ，２２ｂ´を平坦面に形成することとすれば本発明の効果を達成することができる。
【００６４】
また、更に上述した第１実施形態にあっては、靴脱ぎ部２０，２０´は、外面側２１ａ，２１ａ´，２２ａ，２２ａ´および内面側２１ｂ，２１ｂ´，２２ｂ，２２ｂ´のいずれも垂直に立ち上がることとしているが、内面側２１ｂ，２１ｂ´，２２ｂ，２２ｂ´のみ垂直に立ち上がることとしても本発明の効果を奏することができる。すなわち、靴脱ぎ部２０，２０´の少なくとも内面側２１ｂ，２１ｂ´，２２ｂ，２２ｂ´が垂直に立ち上がることとすれば本発明の効果を達成することができる。
【００６５】
更にまた、上述した第２実施形態にあっては、靴脱ぎ部２０，２０´は、外面側２１ａ，２１ａ´，２２ａ，２２ａ´および内面側２１ｂ，２１ｂ´，２２ｂ，２２ｂ´のいずれも傾斜状に形成することとしているが、内面側２１ｂ，２１ｂ´，２２ｂ，２２ｂ´のみ傾斜状に形成することとしても本発明の効果を奏することができる。すなわち、靴脱ぎ部２０，２０´の少なくとも内面側２１ｂ，２１ｂ´，２２ｂ，２２ｂ´が傾斜状に形成されることとすれば本発明の効果を達成することができる。
【００６６】
また更に、図１７および図１８に示すように、上述した実施形態の靴脱ぎ部２０，２０´の内面側の上端部に内側に突出する突出部９７，９７´を設けることとすれば、突出部９７，９７´により靴の後部の上端部を更に一層確実に抑え込むことができる。なお、図１７および図１８において、突出部９７，９７´の内側端部の形状を、靴脱ぎ部２０，２０´の内側の形状に沿った形状とすることとすれば、突出部９７，９７´の内側端部もＶ字状またはハの字状に形成され、直線状となることは勿論である。
【００６７】
更に、上述した実施形態にあっては、持ち手部１０は直線状に延びることとしているが、弓状にカーブさせる構成としてもよい。
【産業上の利用可能性】
【００６８】
本発明は、基端から先端にかけて間隔が漸次拡大するように二股形状に形成される靴脱ぎ部を有する靴脱ぎ具を提供して様々なサイズの脚や靴に対応させて靴を効率よく脱ぐことを実現する。これにより靴脱ぎ具の製造・販売を業とする者およびこれに関連する業界の発展に大きく貢献する。
【符号の説明】
【００６９】
ｄ，ｄ´：間隔
１，２，３ａ，３ｂ，４ａ，４ｂ：靴脱ぎ具
１０：持ち手部
１０ａ：溝
２０，２０´：脱ぎ部
２１，２１´，２２，２２´：平板
２１ａ，２１ａ´，２２ａ，２２ａ´：外面側
２１ｂ，２１ｂ´，２２ｂ，２２ｂ´：内面側
２３，２３´，２４，２４´：辺部
３０：滑り防止部
４０，５０：載置具
４１，５１：載置部
４２，５２：溝
７０：噴射機構
７１：充填部
７２：噴射部
７３：噴射口
７４：流路
８０：開閉機構
８１：押圧部
８１ａ：下面側
８２：開閉部
８３：開口
８４：開放部
８５：閉塞部
９０：弾性体
９０ａ：内部空間
９５：靴べら部
９６：靴べら部
９６ａ：下端
９７，９７´：突出部
１００：靴
２００：脚
【図１】
2018157965.tif 000003
【図２】
2018157965.tif 000004
【図３】
2018157965.tif 000005
【図４】
2018157965.tif 000006
【図５】
2018157965.tif 000007
【図６】
2018157965.tif 000008
【図７】
2018157965.tif 000009
【図８】
2018157965.tif 000010
【図９】
2018157965.tif 000011
【図１０】
2018157965.tif 000012
【図１１】
2018157965.tif 000013
【図１２】
2018157965.tif 000014
【図１３】
2018157965.tif 000015
【図１４】
2018157965.tif 000016
【図１５】
2018157965.tif 000017
【図１６】
2018157965.tif 000018
【図１７】
2018157965.tif 000019
【図１８】
2018157965.tif 000020